(57)【要約】  遠心送風機は、円盤状の主板と複数枚の羽根とを有するファンと、ファンを収納するスクロールケーシングと、を備え、スクロールケーシングは、吐出部と、側壁と周壁と舌部とを有するスクロール部と、を備え、ファンの回転軸と垂直方向の断面形状で対数螺旋形状の基準周壁を有する遠心送風機との比較において、周壁は、周壁と舌部との境界となる第１端部、及び、周壁と吐出部との境界となる第２端部において、回転軸の軸心と周壁との間の距離Ｌ１が、回転軸の軸心と基準周壁との間の距離Ｌ２と等しく、周壁の第１端部と第２端部との間において、距離Ｌ１が、距離Ｌ２以上の大きさであり、周壁の第１端部と第２端部との間において、距離Ｌ１と距離Ｌ２との差分ＬＨの長さが極大点を構成する複数の拡大部を有するものである。
2019087298.tif 000002
【特許請求の範囲】
【請求項１】
円盤状の主板と、前記主板の周縁部に設置される複数枚の羽根と、を有するファンと、
前記ファンを収納するスクロールケーシングと、
を備え、
前記スクロールケーシングは、
前記ファンが発生させた気流が吐出される吐出口を形成する吐出部と、
前記ファンの回転軸の軸方向から前記ファンを覆い、空気を取り込む吸込口が形成された側壁と、前記ファンを前記回転軸の径方向から囲む周壁と、前記吐出部と前記周壁との間に位置し、前記ファンが発生させた気流を前記吐出口に導く舌部と、を有するスクロール部と、
を備え、
前記ファンの前記回転軸と垂直方向の断面形状で対数螺旋形状の基準周壁を有する遠心送風機との比較において、
前記周壁は、
前記周壁と前記舌部との境界となる第１端部、及び、前記周壁と前記吐出部との境界となる第２端部において、前記回転軸の軸心と前記周壁との間の距離Ｌ１が、前記回転軸の前記軸心と前記基準周壁との間の距離Ｌ２と等しく、
前記周壁の前記第１端部と前記第２端部との間において、前記距離Ｌ１が、前記距離Ｌ２以上の大きさであり、
前記周壁の前記第１端部と前記第２端部との間において、前記距離Ｌ１と前記距離Ｌ２との差分ＬＨの長さが極大点を構成する複数の拡大部を有する遠心送風機。
【請求項２】
前記ファンの前記回転軸と垂直方向の断面形状で、前記回転軸の前記軸心と前記第１端部とを結ぶ第１基準線から前記回転軸の前記軸心と前記第２端部とを結ぶ第２基準線までの間で、前記第１基準線から前記ファンの回転方向に進む角度θにおいて、
前記複数の前記拡大部は、
前記角度θが０°以上９０°未満の間に第１極大点Ｐ１と、
前記角度θが９０°以上１８０°未満の間に第２極大点Ｐ２と、
前記角度θが１８０°以上第２基準線が構成する角度α未満の間に第３極大点Ｐ３と、
を有する請求項１に記載の遠心送風機。
【請求項３】
前記角度θが０°以上で前記第１極大点Ｐ１が位置する角度までの間において、前記差分ＬＨが最小となる点を第１最小点Ｕ１とし、
前記角度θが９０°以上で前記第２極大点Ｐ２が位置する角度までの間において、前記差分ＬＨが最小となる点を第２最小点Ｕ２とし、
前記角度θが１８０°以上で前記第３極大点Ｐ３が位置する角度までの間において、前記差分ＬＨが最小となる点を第３最小点Ｕ３とし、
前記第１最小点Ｕ１から前記第１極大点Ｐ１までの前記角度θの増大θ１に対する、前記第１極大点Ｐ１における前記距離Ｌ１と前記第１最小点Ｕ１における前記距離Ｌ１との差分Ｌ１１を拡大率Ａとし、
前記第２最小点Ｕ２から前記第２極大点Ｐ２までの前記角度θの増大θ２に対する、前記第２極大点Ｐ２における前記距離Ｌ１と前記第２最小点Ｕ２における前記距離Ｌ１との差分Ｌ２２を拡大率Ｂとし、
前記第３最小点Ｕ３から前記第３極大点Ｐ３までの前記角度θの増大θ３に対する、前記第３極大点Ｐ３における前記距離Ｌ１と前記第３最小点Ｕ３における前記距離Ｌ１との差分Ｌ３３を拡大率Ｃとした場合に、
拡大率Ｂ＞拡大率Ｃ、かつ、拡大率Ｂ≧拡大率Ａ＞拡大率Ｃ、または、
拡大率Ｂ＞拡大率Ｃ、かつ、拡大率Ｂ＞拡大率Ｃ≧拡大率Ａ
の関係を有する請求項２に記載の遠心送風機。
【請求項４】
前記角度θが０°以上で前記第１極大点Ｐ１が位置する角度までの間において、前記差分ＬＨが最小となる点を第１最小点Ｕ１とし、
前記角度θが９０°以上で前記第２極大点Ｐ２が位置する角度までの間において、前記差分ＬＨが最小となる点を第２最小点Ｕ２とし、
前記角度θが１８０°以上で前記第３極大点Ｐ３が位置する角度までの間において、前記差分ＬＨが最小となる点を第３最小点Ｕ３とし、
前記第１最小点Ｕ１から前記第１極大点Ｐ１までの前記角度θの増大θ１に対する、前記第１極大点Ｐ１における前記距離Ｌ１と前記第１最小点Ｕ１における前記距離Ｌ１との差分Ｌ１１を拡大率Ａとし、
前記第２最小点Ｕ２から前記第２極大点Ｐ２までの前記角度θの増大θ２に対する、前記第２極大点Ｐ２における前記距離Ｌ１と前記第２最小点Ｕ２における前記距離Ｌ１との差分Ｌ２２を拡大率Ｂとし、
前記第３最小点Ｕ３から前記第３極大点Ｐ３までの前記角度θの増大θ３に対する、前記第３極大点Ｐ３における前記距離Ｌ１と前記第３最小点Ｕ３における前記距離Ｌ１との差分Ｌ３３を拡大率Ｃとした場合に、
拡大率Ｃ＞拡大率Ｂ≧拡大率Ａ
の関係を有する請求項２に記載の遠心送風機。
【請求項５】
前記ファンの前記回転軸と垂直方向の断面形状で、前記回転軸の前記軸心と前記第１端部とを結ぶ前記第１基準線から前記回転軸の前記軸心と前記第２端部とを結ぶ第２基準線までの間で、前記第１基準線から前記ファンの回転方向に進む前記角度θにおいて、
前記複数の前記拡大部は、
前記角度θが０°以上９０°未満の間に前記第１極大点Ｐ１を有する第１拡大部と、
前記角度θが９０°以上１８０°未満の間に前記第２極大点Ｐ２を有する第２拡大部と、
前記角度θが１８０°以上第２基準線が構成する角度α未満の間に前記第３極大点Ｐ３を有する第３拡大部と、を有し、
前記第２拡大部から前記第３拡大部までの領域を構成する前記周壁は、前記距離Ｌ１が、前記距離Ｌ２よりも大きい請求項２〜４のいずれか１項に記載の遠心送風機。
【請求項６】
前記ファンの前記回転軸と垂直方向の断面形状で、前記回転軸の前記軸心と前記第１端部とを結ぶ第１基準線から前記回転軸の前記軸心と前記第２端部とを結ぶ第２基準線までの間で、前記第１基準線から前記ファンの回転方向に進む角度θにおいて、
前記複数の前記拡大部は、
前記角度θが９０°以上１８０°未満の間に第２極大点Ｐ２を有する第２拡大部と、
前記角度θが１８０°以上第２基準線が構成する角度α未満の間に第３極大点Ｐ３を有する第３拡大部と、を有し、
前記第２拡大部から前記第３拡大部までの領域を構成する前記周壁は、前記距離Ｌ１が、前記距離Ｌ２よりも大きい請求項１に記載の遠心送風機。
【請求項７】
前記第１極大点Ｐ１から前記第２最小点Ｕ２までの前記角度θの増大θ１１に対する、前記第２最小点Ｕ２における前記距離Ｌ１と前記第１極大点Ｐ１における前記距離Ｌ１との差分Ｌ４４を拡大率Ｄとし、
前記第２極大点Ｐ２から前記第３最小点Ｕ３までの前記角度θの増大θ２２に対する、前記第３最小点Ｕ３における前記距離Ｌ１と前記第２極大点Ｐ２における前記距離Ｌ１との差分Ｌ５５を拡大率Ｅとし、
前記第３極大点Ｐ３から前記角度αまでの前記角度θの増大θ３３に対する、前記角度αにおける前記距離Ｌ１と前記第３極大点Ｐ３における前記Ｌ１との差分Ｌ６６を拡大率Ｆとし、
前記角度θの増大に対する、前記回転軸の前記軸心と前記基準周壁との間の前記距離Ｌ２を拡大率Ｊとした場合に、
拡大率Ｊ＞拡大率Ｄ≧０であり、かつ、
拡大率Ｊ＞拡大率Ｅ≧０であり、かつ、
拡大率Ｊ＞拡大率Ｆ≧０である、
請求項３又は４に記載の遠心送風機。
【請求項８】
前記周壁は、前記回転軸と平行な方向において、前記主板の周縁部と対向する位置が膨出し、前記回転軸と平行な方向において、前記主板の周縁部と対向する位置で前記距離Ｌ１が最大となる請求項１〜７のいずれか１項に記載の遠心送風機。
【請求項９】
前記周壁は、前記回転軸の周方向において、前記回転軸の径方向に突出する突出部を有する請求項１〜８のいずれか１項に記載の遠心送風機。
【請求項１０】
請求項１〜９のいずれか１項に記載の遠心送風機と、
当該遠心送風機を収容するケースと、
を備えた送風装置。
【請求項１１】
請求項１〜９のいずれか１項に記載の遠心送風機と、
当該遠心送風機の前記吐出口と対向する位置に配置された熱交換器と、
を備える空気調和装置。
【請求項１２】
請求項１〜９のいずれか１項に記載の遠心送風機を備えた冷凍サイクル装置。
【発明の詳細な説明】
【技術分野】
【０００１】
本発明は、スクロールケーシングを有する遠心送風機並びにこれを備えた送風装置、空気調和装置及び冷凍サイクル装置に関する。
【背景技術】
【０００２】
従来の遠心送風機には、スクロールケーシング内を流れる気流の下流側から上流側へ順次ファンの軸心とスクロールケーシングの周壁との距離が拡大する対数螺旋形状に形成された周壁を備えるものがある。遠心送風機は、スクロールケーシング内の気流の方向において、ファンの軸心とスクロールケーシングの周壁との距離の拡大率が充分に大きくないと、動圧から静圧への圧力回復が不十分になり、送風効率が低下するだけでなく、損失が大きく、騒音も悪化する。そこで、渦巻状に形成された外形と、その外形上に略平行な２つの直線部とを有し、直線部のうち一方の直線部はスクロールの吐出口に接続され、モータの回転軸をスクロールの舌部に近い方の直線部寄りに位置させる遠心送風機が提案されている（例えば、特許文献１参照）。特許文献１のシロッコファンは、当該構成を備えることにより、逆流現象を抑制し、所定の風量を保持しながら騒音値を低減することができる。
【先行技術文献】
【特許文献】
【０００３】
【特許文献１】特許第４９０６５５５号公報
【発明の概要】
【発明が解決しようとする課題】
【０００４】
しかしながら、特許文献１の遠心送風機は、騒音を改善できるが、設置場所による外径寸法の制約により、特定の方向へのスクロールケーシングの周壁の拡大率が充分に確保できない場合には、動圧から静圧への圧力回復が不十分になり、送風効率が低下する場合がある。【０００５】
本発明は、上記のような課題を解決するためのものであり、騒音を低減しつつ、送風効率の向上を図った遠心送風機、送風装置、空気調和装置及び冷凍サイクル装置を得ることを目的とする。
【課題を解決するための手段】
【０００６】
本発明に係る遠心送風機は、円盤状の主板と、主板の周縁部に設置される複数枚の羽根と、を有するファンと、ファンを収納するスクロールケーシングと、を備え、スクロールケーシングは、ファンが発生させた気流が吐出される吐出口を形成する吐出部と、ファンの回転軸の軸方向からファンを覆い、空気を取り込む吸込口が形成された側壁と、ファンを回転軸の径方向から囲む周壁と、吐出部と周壁との間に位置し、ファンが発生させた気流を吐出口に導く舌部と、を有するスクロール部と、を備え、ファンの回転軸と垂直方向の断面形状で対数螺旋形状の基準周壁を有する遠心送風機との比較において、周壁は、周壁と舌部との境界となる第１端部、及び、周壁と吐出部との境界となる第２端部において、回転軸の軸心と周壁との間の距離Ｌ１が、回転軸の軸心と基準周壁との間の距離Ｌ２と等しく、周壁の第１端部と第２端部との間において、距離Ｌ１が、距離Ｌ２以上の大きさであり、周壁の第１端部と第２端部との間において、距離Ｌ１と距離Ｌ２との差分ＬＨの長さが極大点を構成する複数の拡大部を有するものである。
【発明の効果】
【０００７】
本発明に係る遠心送風機は、周壁が、ファンの回転軸と垂直方向の断面形状で対数螺旋形状の基準周壁を有する遠心送風機との比較において、第１端部及び２端部において、距離Ｌ１が、距離Ｌ２と等しい。また、周壁が、周壁の第１端部と第２端部との間において、距離Ｌ１が、距離Ｌ２以上の大きさである。また、周壁が、周壁の第１端部と第２端部との間において、距離Ｌ１と距離Ｌ２との差分ＬＨの長さが極大点を構成する複数の拡大部を有している。そのため、遠心送風機は、設置場所による外径寸法の制約により、特定の方向へのスクロールケーシングの周壁の拡大率が充分に確保できない場合であっても、周壁が拡大可能な方向において上記構成を備えることにより、回転軸の軸心と周壁との距離が拡大する風路の距離を長くすることができる。その結果、遠心送風機は、気流の剥離を防ぎつつ、スクロールケーシング内を流れる気流の速度を落として動圧から静圧に変換することができるため、騒音を低減しつつ、送風効率を向上させることができる。
【図面の簡単な説明】
【０００８】
【図１】本発明の実施の形態１に係る遠心送風機の斜視図である。
【図２】本発明の実施の形態１に係る遠心送風機の上面図である。
【図３】図２の遠心送風機のＤ−Ｄ線断面図である。
【図４】本発明の実施の形態１に係る遠心送風機の周壁と、従来の遠心送風機の対数螺旋形状の基準周壁との比較を表す上面図である。
【図５】図４の遠心送風機１又は従来の遠心送風機における、角度θ［°］と、軸心から周壁面までの距離Ｌ［ｍｍ］との関係を表す図である。
【図６】本発明の実施の形態１に係る遠心送風機の周壁における各拡大部の拡大率を変化させた図である。
【図７】本発明の実施の形態１に係る遠心送風機の周壁における各拡大部の拡大率の相違を表す図である。
【図８】本発明の実施の形態１に係る遠心送風機の他の拡大率を有する周壁と、従来の遠心送風機の対数螺旋形状の基準周壁ＳＷとの比較を表す上面図である。
【図９】図８の遠心送風機の周壁における各拡大部の他の拡大率を変化させた図である。
【図１０】本発明の実施の形態１に係る遠心送風機の他の拡大率を有する周壁と、従来の遠心送風機の対数螺旋形状の基準周壁ＳＷとの比較を表す上面図である。
【図１１】図１０の遠心送風機の周壁における各拡大部の他の拡大率を変化させた図である。
【図１２】図５において、実施の形態１に係る遠心送風機の周壁における他の拡大率を示す図である。
【図１３】本発明の実施の形態１に係る遠心送風機の他の拡大率を有する周壁と、従来の遠心送風機の対数螺旋形状の基準周壁ＳＷとの比較を表す上面図である。
【図１４】図１３の遠心送風機の周壁における各拡大部の他の拡大率を変化させた図である。
【図１５】本発明の実施の形態２に係る遠心送風機の軸方向断面図である。
【図１６】本発明の実施の形態２に係る遠心送風機の変形例の軸方向断面図である。
【図１７】本発明の実施の形態２に係る遠心送風機の他の変形例の軸方向断面図である。
【図１８】本発明の実施の形態３に係る送風装置の構成を示す図である。
【図１９】本発明の実施の形態４に係る空気調和装置の斜視図である。
【図２０】本発明の実施の形態４に係る空気調和装置の内部構成を示す図である。
【図２１】本発明の実施の形態４に係る空気調和装置の断面図である。
【図２２】本発明の実施の形態５に係る冷凍サイクル装置の構成を示す図である。
【発明を実施するための形態】
【０００９】
以下、本発明の実施の形態に係る遠心送風機１、送風装置３０、空気調和装置４０及び冷凍サイクル装置５０について図面等を参照しながら説明する。なお、図１を含む以下の図面では、各構成部材の相対的な寸法の関係及び形状等が実際のものとは異なる場合がある。また、以下の図面において、同一の符号を付したものは、同一又はこれに相当するものであり、このことは明細書の全文において共通することとする。また、理解を容易にするために方向を表す用語（例えば「上」、「下」、「右」、「左」、「前」、「後」など）を適宜用いるが、それらの表記は、説明の便宜上、そのように記載しているだけであって、装置あるいは部品の配置及び向きを限定するものではない。
【００１０】
実施の形態１．
［遠心送風機１］
図１は、本発明の実施の形態１に係る遠心送風機１の斜視図である。図２は、本発明の実施の形態１に係る遠心送風機１の上面図である。図３は、図２の遠心送風機１のＤ−Ｄ線断面図である。図１〜図３を用いて、遠心送風機１の基本的な構造について説明する。なお、図３に示す点線は、従来の遠心送風機の周壁を表す基準周壁ＳＷの断面形状である。遠心送風機１は、多翼遠心型の遠心送風機であり、気流を発生させるファン２と、ファン２を収納するスクロールケーシング４とを有する。
【００１１】
（ファン２）
ファン２は、円盤状の主板２ａと、主板２ａの周縁部２ａ１に設置される複数枚の羽根２ｄと、を有する。また、ファン２は、複数の羽根２ｄの主板２ａと反対側の端部に主板２ａに対向するリング状の側板２ｃを有している。なお、ファン２は、側板２ｃを備えない構造であってもよい。ファン２が側板２ｃを有する場合、複数の羽根２ｄのそれぞれは、一端が主板２ａと接続され、他端が側板２ｃと接続されており、複数の羽根２ｄは、主板２ａと側板２ｃとの間に配置されている。主板２ａの中心部には、ボス部２ｂが設けられている。ボス部２ｂの中央には、ファンモータ６の出力軸６ａが接続され、ファン２はファンモータ６の駆動力によって回転される。ファン２は、ボス部２ｂと、出力軸６ａとにより回転軸Ｘを構成する。複数の羽根２ｄは、主板２ａと側板２ｃとの間で、ファン２の回転軸Ｘを取り囲む。ファン２は、主板２ａと複数の羽根２ｄとにより円筒形状に構成され、ファン２の回転軸Ｘの軸方向において、主板２ａと反対側の側板２ｃ側に吸込口２ｅを形成している。ファン２は、図３に示すように、回転軸Ｘの軸方向において、主板２ａの両側に複数の羽根２ｄが設けられている。なお、ファン２は、回転軸Ｘの軸方向において、主板２ａの両側に複数の羽根２ｄが設けられる構成に限定されるものではなく、例えば、回転軸Ｘの軸方向において、主板２ａの片側にのみ複数の羽根２ｄが設けられていてもよい。また、ファン２は、図３に示すように、ファン２の内周側にファンモータ６が配置されているが、ファン２は、ボス部２ｂに出力軸６ａが接続されていればよく、ファンモータ６は、遠心送風機１の外に配置されていてもよい。
【００１２】
（スクロールケーシング４）
スクロールケーシング４は、ファン２を囲んでおり、ファン２から吹き出された空気を整流する。スクロールケーシング４は、ファン２が発生させた気流が吐出される吐出口４２ａを形成する吐出部４２と、ファン２が発生させた気流の動圧を静圧に変換する風路を形成するスクロール部４１と、を有する。吐出部４２は、スクロール部４１を通過した気流が吐出される吐出口４２ａを形成する。スクロール部４１は、ファン２の回転軸Ｘの軸方向からファン２を覆い、空気を取り込む吸込口５が形成された側壁４ａと、ファン２を回転軸Ｘの径方向から囲む周壁４ｃと、を有する。また、スクロール部４１は、吐出部４２と周壁４ｃとの間に位置し、ファン２が発生させた気流を、スクロール部４１を介して吐出口４２ａに導く舌部４ｂを有する。なお、回転軸Ｘの径方向とは、回転軸Ｘに垂直な方向である。周壁４ｃ及び側壁４ａにより構成されるスクロール部４１の内部空間は、ファン２から吹き出された空気が周壁４ｃに沿って流れる空間となっている。
【００１３】
（側壁４ａ）
スクロールケーシング４の側壁４ａには、吸込口５が形成されている。また、側壁４ａには、吸込口５を通じてスクロールケーシング４に吸い込まれる気流を案内するベルマウス３が設けられている。ベルマウス３は、ファン２の吸込口２ｅに対向する位置に形成されている。ベルマウス３は、吸込口５を通じてスクロールケーシング４に吸い込まれる気流の上流側の端部である上流端３ａから下流側の端部である下流端３ｂに向かって風路が狭くなる形状である。図１〜図３に示すように、遠心送風機１は、回転軸Ｘの軸方向において、主板２ａの両側に吸込口５が形成された側壁４ａを有する両吸込みのスクロールケーシング４を有する。なお、遠心送風機１は、両吸込みのスクロールケーシング４を有するものに限定されるものではなく、回転軸Ｘの軸方向において、主板２ａの片側にのみ吸込口５が形成された側壁４ａを有する片吸込みのスクロールケーシング４を有していてもよい。
【００１４】
（周壁４ｃ）
周壁４ｃは、ファン２を回転軸Ｘの径方向から囲み、ファン２の径方向の外周側を構成する複数の羽根２ｄと対向する内周面を構成する。周壁４ｃは、回転軸Ｘの軸方向に幅があり、上面視で渦巻状に形成されている。周壁４ｃは、図２に示すように、舌部４ｂとスクロール部４１との境界に位置する第１端部４１ａからファン２の回転方向に沿って舌部４ｂから離れた側の吐出部４２とスクロール部４１との境界に位置する第２端部４１ｂまでの部分に設けられている。周壁４ｃの内周面は、渦巻形状の巻始めとなる第１端部４１ａから渦巻き形状の巻終りとなる第２端部４１ｂまでファン２の周方向に沿って滑らかに湾曲する湾曲面を構成する。第１端部４１ａは、湾曲面を構成する周壁４ｃにおいて、ファン２の回転により発生する気流の上流側の端縁部であり、第２端部４１ｂは、ファン２の回転により発生する気流の下流側の端縁部である。
【００１５】
図２に示す角度θは、ファン２の回転軸Ｘの垂直方向の断面形状において、回転軸Ｘの軸心Ｃ１と第１端部４１ａとを結ぶ第１基準線ＢＬ１から回転軸Ｘの軸心Ｃ１と第２端部４１ｂとを結ぶ第２基準線ＢＬ２までの間で、第１基準線ＢＬからファン２の回転方向に進む角度である。図２に示す第１基準線ＢＬ１の角度θは０°である。なお、第２基準線ＢＬ２の角度は、角度αであり、特定の値を示すものではない。第２基準線ＢＬ２の角度αは、スクロールケーシング４の渦巻形状により異なるものであり、スクロールケーシング４の渦巻形状は、例えば、吐出口４２ａの開口径により規定されるものだからである。第２基準線ＢＬ２の角度αは、例えば、遠心送風機１の用途により必要とされる吐出口４２ａの開口径により具体的に特定される。そのため、実施の形態１の遠心送風機１では、角度αは２７０°として説明しているが、吐出口４２ａの開口径により、例えば３００°等の場合もある。同様に、対数螺旋形状の基準周壁ＳＷの位置は、回転軸Ｘの垂直方向における吐出部４２の吐出口４２ａの開口径により定まる。
【００１６】
図４は、本発明の実施の形態１に係る遠心送風機１の周壁４ｃと、従来の遠心送風機の対数螺旋形状の基準周壁ＳＷとの比較を表す上面図である。図５は、図４の遠心送風機１又は従来の遠心送風機における、角度θ［°］と、軸心から周壁面までの距離Ｌ［ｍｍ］との関係を表す図である。図５において、丸を結ぶ実線は周壁４ｃを示しており、三角を結ぶ破線は基準周壁ＳＷを示している。遠心送風機１を、ファン２の回転軸Ｘと垂直方向の断面形状で、対数螺旋形状の基準周壁ＳＷを有する遠心送風機と比較して周壁４ｃを更に詳細に説明する。図４及び図５に示す従来の遠心送風機の基準周壁ＳＷは、所定の拡大率（一定の拡大率）で定義される渦巻状の湾曲面を形成する。所定の拡大率で定義される渦巻状の基準周壁ＳＷとしては、例えば、対数螺旋による基準周壁ＳＷ、アルキメデス螺旋による基準周壁ＳＷ、インボリュート曲線による基準周壁ＳＷなどを挙げることができる。図４に示す、従来の遠心送風機の具体例では、基準周壁ＳＷは、対数螺旋によって定義されるものであるが、アルキメデス螺旋による基準周壁ＳＷ、インボリュート曲線による基準周壁ＳＷを、従来の遠心送風機の基準周壁ＳＷとしてもよい。従来の遠心送風機を構成する対数螺旋形状の周壁おいて、基準周壁ＳＷを定義する拡大率Ｊは、図５に示すように、横軸に巻き角である角度θをとり、縦軸に回転軸Ｘの軸心Ｃ１と基準周壁ＳＷとの間の距離をとったグラフの傾きの角度である。
【００１７】
図５において、点ＰＳは、周壁４ｃにおける第１端部４１ａの位置であると共に、従来の遠心送風機の基準周壁ＳＷの半径である。また、図５において、点ＰＬは、周壁４ｃにおける第２端部４１ｂの位置であると共に、従来の遠心送風機の基準周壁ＳＷの半径である。周壁４ｃは、図４及び図５に示すように、周壁４ｃと舌部４ｂとの境界となる第１端部４１ａにおいて、回転軸Ｘの軸心Ｃ１と周壁４ｃとの間の距離Ｌ１が、回転軸Ｘの軸心Ｃ１と基準周壁ＳＷとの間の距離Ｌ２と等しい。また、周壁４ｃは、周壁４ｃと吐出部４２との境界となる第２端部４１ｂにおいて、回転軸Ｘの軸心Ｃ１と周壁４ｃとの間の距離Ｌ１が、回転軸Ｘの軸心Ｃ１と基準周壁ＳＷとの間の距離Ｌ２と等しい。
【００１８】
周壁４ｃは、図４及び図５に示すように、周壁４ｃの第１端部４１ａと第２端部４１ｂとの間において、回転軸Ｘの軸心Ｃ１と周壁４ｃとの間の距離Ｌ１が、回転軸Ｘの軸心Ｃ１と基準周壁ＳＷとの間の距離Ｌ２以上の大きさである。さらに、周壁４ｃは、周壁４ｃの第１端部４１ａと第２端部４１ｂとの間において、回転軸Ｘの軸心Ｃ１と周壁４ｃとの間の距離Ｌ１と、回転軸Ｘの軸心Ｃ１と基準周壁ＳＷとの間の距離Ｌ２との差分ＬＨの長さが極大点を構成する３つの拡大部を有する。
【００１９】
周壁４ｃは、図４に示すように、角度θが０°以上９０°未満の間において、対数螺旋形状の基準周壁ＳＷよりも径方向外側に膨出した第１拡大部５１を有する。第１拡大部５１は、図５に示すように、角度θが０°以上９０°未満の間に第１極大点Ｐ１を有する。第１極大点Ｐ１は、図５に示すように、角度θが０°以上９０°未満の間において、回転軸Ｘの軸心Ｃ１と周壁４ｃとの間の距離Ｌ１と、回転軸Ｘの軸心Ｃ１と基準周壁ＳＷとの間の距離Ｌ２との差分ＬＨ１の長さが最大となる周壁４ｃの位置である。周壁４ｃは、図４に示すように、角度θが９０°以上１８０°未満の間において、対数螺旋形状の基準周壁ＳＷよりも径方向外側に膨出した第２拡大部５２を有する。第２拡大部５２は、図５に示すように、角度θが９０°以上１８０°未満の間に第２極大点Ｐ２を有する。第２極大点Ｐ２は、図５に示すように、角度θが９０°以上１８０°未満の間において、回転軸Ｘの軸心Ｃ１と周壁４ｃとの間の距離Ｌ１と、回転軸Ｘの軸心Ｃ１と基準周壁ＳＷとの間の距離Ｌ２との差分ＬＨ２の長さが最大となる周壁４ｃの位置である。周壁４ｃは、図４に示すように、角度θが１８０°以上第２基準線が構成する角度α未満の間において、対数螺旋形状の基準周壁ＳＷよりも径方向外側に膨出した第３拡大部５３を有する。第３拡大部５３は、図５に示すように、角度θが１８０°以上第２基準線が構成する角度α未満の間に第３極大点Ｐ３を有する。第３極大点Ｐ３は、図５に示すように、角度θが１８０°以上角度α未満の間において、回転軸Ｘの軸心Ｃ１と周壁４ｃとの間の距離Ｌ１と、回転軸Ｘの軸心Ｃ１と基準周壁ＳＷとの間の距離Ｌ２との差分ＬＨ３の長さが最大となる周壁４ｃの位置である。
【００２０】
図６は、本発明の実施の形態１に係る遠心送風機１の周壁４ｃにおける各拡大部の拡大率を変化させた図である。図７は、本発明の実施の形態１に係る遠心送風機１の周壁４ｃにおける各拡大部の拡大率の相違を表す図である。図６に示すように、角度θが０°以上で第１極大点Ｐ１が位置する角度までの間において、差分ＬＨが最小となる点を第１最小点Ｕ１とする。また、角度θが９０°以上で第２極大点Ｐ２が位置する角度までの間において、差分ＬＨが最小となる点を第２最小点Ｕ２とする。さらに、角度θが１８０°以上で第３極大点Ｐ３が位置する角度までの間において、差分ＬＨが最小となる点を第３最小点Ｕ３とする。これらの場合において、図７に示すように、第１最小点Ｕ１から第１極大点Ｐ１までの角度θの増大θ１に対する、第１極大点Ｐ１における距離Ｌ１と第１最小点Ｕ１における距離Ｌ１との差分Ｌ１１を拡大率Ａとする。また、第２最小点Ｕ２から第２極大点Ｐ２までの角度θの増大θ２に対する、第２極大点Ｐ２における距離Ｌ１と第２最小点Ｕ２における距離Ｌ１との差分Ｌ２２を拡大率Ｂとする。さらに第３最小点Ｕ３から第３極大点Ｐ３までの角度θの増大θ３に対する、第３極大点Ｐ３における距離Ｌ１と第３最小点Ｕ３における距離Ｌ１との差分Ｌ３３を拡大率Ｃとする。このとき、遠心送風機１の周壁４ｃは、拡大率Ｂ＞拡大率Ｃ、かつ、拡大率Ｂ≧拡大率Ａ＞拡大率Ｃ、または、拡大率Ｂ＞拡大率Ｃ、かつ、拡大率Ｂ＞拡大率Ｃ≧拡大率Ａの関係を有している。
【００２１】
図８は、本発明の実施の形態１に係る遠心送風機１の他の拡大率を有する周壁４ｃと、従来の遠心送風機の対数螺旋形状の基準周壁ＳＷとの比較を表す上面図である。図９は、図８の遠心送風機１の周壁４ｃにおける各拡大部の他の拡大率を変化させた図である。図９に示すように、角度θが０°以上で第１極大点Ｐ１が位置する角度までの間において、差分ＬＨが最小となる点を第１最小点Ｕ１とする。また、角度θが９０°以上で第２極大点Ｐ２が位置する角度までの間において、差分ＬＨが最小となる点を第２最小点Ｕ２とする。さらに、角度θが１８０°以上で第３極大点Ｐ３が位置する角度までの間において、差分ＬＨが最小となる点を第３最小点Ｕ３とする。これらの場合において、図９に示すように、第１最小点Ｕ１から第１極大点Ｐ１までの角度θの増大θ１に対する、第１極大点Ｐ１における距離Ｌ１と第１最小点Ｕ１における距離Ｌ１との差分Ｌ１１を拡大率Ａとする。また、第２最小点Ｕ２から第２極大点Ｐ２までの角度θの増大θ２に対する、第２極大点Ｐ２における距離Ｌ１と第２最小点Ｕ２における距離Ｌ１との差分Ｌ２２を拡大率Ｂとする。さらに第３最小点Ｕ３から第３極大点Ｐ３までの角度θの増大θ３に対する、第３極大点Ｐ３における距離Ｌ１と第３最小点Ｕ３における距離Ｌ１との差分Ｌ３３を拡大率Ｃとする。このとき、遠心送風機１の周壁４ｃは、拡大率Ｃ＞拡大率Ｂ≧拡大率Ａの関係を有している。
【００２２】
図１０は、本発明の実施の形態１に係る遠心送風機１の他の拡大率を有する周壁４ｃと、従来の遠心送風機の対数螺旋形状の基準周壁ＳＷとの比較を表す上面図である。図１１は、図１０の遠心送風機１の周壁４ｃにおける各拡大部の他の拡大率を変化させた図である。なお、図１０に示す一点鎖線は、第４拡大部５４の位置を表すものである。図１０に示す実施の形態１に係る遠心送風機１は、スクロールケーシング４の吐出口７２の反対側の領域となる、角度θが９０°から２７０°（角度α）の周壁４ｃにおいて、第４極大点Ｐ４を構成する第４拡大部５４を備える。そして、図１０に示す実施の形態１に係る遠心送風機１は、第４極大点Ｐ４で構成される第４拡大部５４上に第２極大点Ｐ２を有する第２拡大部５２と第３極大点Ｐ３を有する第３拡大部５３とを更に有する。周壁４ｃは、図１０に示すように、角度θが０°以上９０°未満の間において、対数螺旋形状の基準周壁ＳＷよりも径方向外側に膨出した第１拡大部５１を有する。第１拡大部５１は、図１１に示すように、角度θが０°以上９０°未満の間に第１極大点Ｐ１を有する。第１極大点Ｐ１は、角度θが０°以上９０°未満の間において、回転軸Ｘの軸心Ｃ１と周壁４ｃとの間の距離Ｌ１と、回転軸Ｘの軸心Ｃ１と基準周壁ＳＷとの間の距離Ｌ２との差分ＬＨ１の長さが最大となる周壁４ｃの位置である。また、周壁４ｃは、図１０に示すように、角度θが９０°以上１８０°未満の間において、対数螺旋形状の基準周壁ＳＷよりも径方向外側に膨出した第２拡大部５２を有する。第２拡大部５２は、図１１に示すように、角度θが９０°以上１８０°未満の間に第２極大点Ｐ２を有する。第２極大点Ｐ２は、角度θが９０°以上１８０°未満の間において、回転軸Ｘの軸心Ｃ１と周壁４ｃとの間の距離Ｌ１と、回転軸Ｘの軸心Ｃ１と基準周壁ＳＷとの間の距離Ｌ２との差分ＬＨ２の長さが最大となる周壁４ｃの位置である。また、周壁４ｃは、図１０に示すように、角度θが１８０°以上第２基準線が構成する角度α未満の間において、対数螺旋形状の基準周壁ＳＷよりも径方向外側に膨出した第３拡大部５３を有する。第３拡大部５３は、図１１に示すように、角度θが１８０°以上第２基準線が構成する角度α未満の間に第３極大点Ｐ３を有する。第３極大点Ｐ３は、角度θが１８０°以上角度α未満の間において、回転軸Ｘの軸心Ｃ１と周壁４ｃとの間の距離Ｌ１と、回転軸Ｘの軸心Ｃ１と基準周壁ＳＷとの間の距離Ｌ２との差分ＬＨ３の長さが最大となる周壁４ｃの位置である。周壁４ｃは、図１０に示すように、角度θが９０°以上第２基準線が構成する角度α未満の間において、対数螺旋形状の基準周壁ＳＷよりも径方向外側に膨出した第４拡大部５４を有する。第４拡大部５４は、図１１に示すように、角度θが９０°以上第２基準線が構成する角度α未満の間に第４極大点Ｐ４を有する。第４極大点Ｐ４は、角度θが９０°以上角度α未満の間において、回転軸Ｘの軸心Ｃ１と周壁４ｃとの間の距離Ｌ１と、回転軸Ｘの軸心Ｃ１と基準周壁ＳＷとの間の距離Ｌ２との差分ＬＨ４の長さが最大となる周壁４ｃの位置である。遠心送風機１は、第４極大点Ｐ４で構成される第４拡大部５４上に第２極大点Ｐ２を有する第２拡大部５２と第３極大点Ｐ３を有する第３拡大部���３とを更に有する。そのため、第２拡大部５２から第３拡大部５３までの領域を構成する周壁４ｃは、回転軸Ｘの軸心Ｃ１と周壁４ｃとの間の距離Ｌ１が、回転軸Ｘの軸心Ｃ１と基準周壁ＳＷとの間の距離Ｌ２よりも大きい。
【００２３】
図１２は、図５において、実施の形態１に係る遠心送風機１の周壁４ｃにおける他の拡大率を示す図である。図１２は、図５を用いて更に望ましい周壁４ｃの形状を説明するものである。第１極大点Ｐ１から第２最小点Ｕ２までの角度θの増大θ１１に対する、第２最小点Ｕ２における距離Ｌ１と第１極大点Ｐ１における距離Ｌ１との差分Ｌ４４（図示せず）を拡大率Ｄとする。また、第２極大点Ｐ２から第３最小点Ｕ３までの角度θの増大θ２２に対する、第３最小点Ｕ３における距離Ｌ１と第２極大点Ｐ２における距離Ｌ１との差分Ｌ５５（図示せず）を拡大率Ｅとする。また、第３極大点Ｐ３から角度αまでの角度θの増大θ３３に対する、角度αにおける距離Ｌ１と第３極大点Ｐ３における距離Ｌ１との差分Ｌ６６（図示せず）を拡大率Ｆとする。さらに、角度θの増大に対する、回転軸Ｘの軸心Ｃ１と基準周壁ＳＷとの間の距離Ｌ２を拡大率Ｊとする。これらの場合において、遠心送風機１の周壁４ｃは、拡大率Ｊ＞拡大率Ｄ≧０であり、かつ、拡大率Ｊ＞拡大率Ｅ≧０であり、かつ、拡大率Ｊ＞拡大率Ｆ≧０であることが望ましい。なお、周壁４ｃは、図１２で説明する拡大率の形状を備えていることが望ましいが、周壁４ｃは、図１２で説明する拡大率の形状を備えていなくてもよい。また、図１２で示す拡大率の構造を有する周壁４ｃは、図６に示す拡大率の構造を有する周壁４ｃ、図９に示す拡大率の構造を有する周壁４ｃ、図１１に示す拡大率の構造を有する周壁４ｃと組み合わされてもよい。
【００２４】
図１３は、本発明の実施の形態１に係る遠心送風機１の他の拡大率を有する周壁４ｃと、従来の遠心送風機の対数螺旋形状の基準周壁ＳＷとの比較を表す上面図である。図１４は、図１３の遠心送風機１の周壁４ｃにおける各拡大部の他の拡大率を変化させた図である。なお、図１３に示す一点鎖線は、第４拡大部５４の位置を表すものである。図１３に示す実施の形態１に係る遠心送風機１は、スクロールケーシング４の吐出口７２の反対側の領域となる、角度θが９０°から２７０°（角度α）の周壁４ｃにおいて、第４極大点Ｐ４を構成する第４拡大部５４を備える。そして、図１３に示す実施の形態１に係る遠心送風機１は、第４極大点Ｐ４で構成される第４拡大部５４上に第２極大点Ｐ２を有する第２拡大部５２と第３極大点Ｐ３を有する第３拡大部５３とを更に有する。周壁４ｃは、図１３に示すように、角度θが０°以上９０°未満の間において、対数螺旋形状の基準周壁ＳＷに沿った周壁を有する。すなわち、周壁４ｃは、角度θが０°以上９０°未満の間において、回転軸Ｘの軸心Ｃ１と周壁４ｃとの間の距離Ｌ１が、回転軸Ｘの軸心Ｃ１と基準周壁ＳＷとの間の距離Ｌ２と等しい。周壁４ｃは、図１３に示すように、角度θが９０°以上１８０°未満の間において、対数螺旋形状の基準周壁ＳＷよりも径方向外側に膨出した第２拡大部５２を有する。第２拡大部５２は、図１４に示すように、角度θが９０°以上１８０°未満の間に第２極大点Ｐ２を有する。第２極大点Ｐ２は、角度θが９０°以上１８０°未満の間において、回転軸Ｘの軸心Ｃ１と周壁４ｃとの間の距離Ｌ１と、回転軸Ｘの軸心Ｃ１と基準周壁ＳＷとの間の距離Ｌ２との差分ＬＨ２の長さが最大となる周壁４ｃの位置である。また、周壁４ｃは、図１３に示すように、角度θが１８０°以上第２基準線が構成する角度α未満の間において、対数螺旋形状の基準周壁ＳＷよりも径方向外側に膨出した第３拡大部５３を有する。第３拡大部５３は、図１４に示すように、角度θが１８０°以上第２基準線が構成する角度α未満の間に第３極大点Ｐ３を有する。第３極大点Ｐ３は、角度θが１８０°以上角度α未満の間において、回転軸Ｘの軸心Ｃ１と周壁４ｃとの間の距離Ｌ１と、回転軸Ｘの軸心Ｃ１と基準周壁ＳＷとの間の距離Ｌ２との差分ＬＨ３の長さが最大となる周壁４ｃの位置である。周壁４ｃは、図１３に示すように、角度θが９０°以上第２基準線が構成する角度α未満の間において、対数螺旋形状の基準周壁ＳＷよりも径方向外側に膨出した第４拡大部５４を有する。第４拡大部５４は、図１４に示すように、角度θが９０°以上第２基準線が構成する角度α未満の間に第４極大点Ｐ４を有する。第４極大点Ｐ４は、角度θが９０°以上角度α未満の間において、回転軸Ｘの軸心Ｃ１と周壁４ｃとの間の距離Ｌ１と、回転軸Ｘの軸心Ｃ１と基準周壁ＳＷとの間の距離Ｌ２との差分ＬＨ４の長さが最大となる周壁４ｃの位置である。遠心送風機１は、第４極大点Ｐ４で構成される第４拡大部５４上に第２極大点Ｐ２を有する第２拡大部５２と第３極大点Ｐ３を有する第３拡大部５３とを更に有する。そのため、第２拡大部５２から第３拡大部５３までの領域を構成する周壁４ｃは、回転軸Ｘの軸心Ｃ１と周壁４ｃとの間の距離Ｌ１が、回転軸Ｘの軸心Ｃ１と基準���壁ＳＷとの間の距離Ｌ２よりも大きい。
【００２５】
（舌部４ｂ）
舌部４ｂは、ファン２が発生させた気流を、スクロール部４１を介して吐出口４２ａに導く。舌部４ｂは、スクロール部４１と吐出部４２との境界部分に設けられた凸部である。舌部４ｂは、スクロールケーシング４において、回転軸Ｘに平行な方向に延びている。
【００２６】
［遠心送風機１の動作］
ファン２が回転すると、スクロールケーシング４の外の空気は、吸込口５を通じてスクロールケーシング４の内部に吸い込まれる。スクロールケーシング４の内部に吸い込まれる空気は、ベルマウス３に案内されてファン２に吸い込まれる。ファン２に吸い込まれた空気は、複数の羽根２ｄの間を通る過程で、動圧と静圧が付加された気流となってファン２の径方向外側に向かって吹き出される。ファン２から吹き出された気流は、スクロール部４１において周壁４ｃの内側と羽根２ｄとの間を案内される間に動圧が静圧に変換され、スクロール部４１を通過後、吐出部４２に形成された吐出口４２ａからスクロールケーシング４の外へ吹き出される。
【００２７】
以上のように、実施の形態１に係る遠心送風機１は、周壁４ｃが、ファン２の回転軸Ｘと垂直方向の断面形状で対数螺旋形状の基準周壁ＳＷを有する遠心送風機との比較において、第１端部４１ａ及び第２端部４１ｂにおいて、距離Ｌ１が、距離Ｌ２と等しい。また、周壁４ｃが、周壁４ｃの第１端部４１ａと第２端部４１ｂとの間において、距離Ｌ１が、距離Ｌ２以上の大きさである。また、周壁４ｃが、周壁４ｃの第１端部４１ａと第２端部４１ｂとの間において、距離Ｌ１と距離Ｌ２との差分ＬＨの長さが極大点を構成する複数の拡大部を有している。遠心送風機１は、舌部４ｂ付近で、ファン２と周壁４ｃの壁面との距離が最小となることにより、動圧が高められる。そして、動圧から静圧への圧力回復のために、気流の流れ方向において、ファン２と周壁４ｃの壁面までの距離を徐々に拡大させることにより速度を落とし、動圧を静圧に変換させる。このとき、理想的には、気流が周壁４ｃに沿って流れる距離が長ければ長いほど多くの圧力回復ができ、送風効率を上げることができる。つまり、通常の対数螺旋形状（インボリュート曲線）以上の拡大率を有する周壁４ｃを備え、例えば、スクロール部４１の周壁４ｃを、ほとんど直角に気流が曲がるなどの急激な拡大に伴う気流の剥離を生じない範囲に構成された拡大率を有する構成にできれば最も圧力回復できる構成となる。実施の形態１に係る遠心送風機１は、一律の対数螺旋形状（インボリュート曲線）から、更に複数の拡大部を有しておりスクロール部４１内の風路の距離を延ばすことができる。その結果、遠心送風機１は、気流の剥離を防ぎつつ、スクロールケーシング４内を流れる気流の速度を落として動圧から静圧に変換することができるため、騒音を低減しつつ、送風効率を向上させることができる。また、遠心送風機１は、設置場所による外径寸法の制約により、特定の方向へのスクロールケーシングの周壁４ｃの拡大率が充分に確保できない場合であっても、周壁４ｃが拡大可能な方向において上記構成を備えることにより、回転軸Ｘの軸心Ｃ１と周壁４ｃとの距離が拡大する風路の距離を長くすることができる。その結果、遠心送風機１は、特定の方向へのスクロールケーシングの周壁４ｃの拡大率が充分に確保できない場合であっても、気流の剥離を防ぎつつ、スクロールケーシング４内を流れる気流の速度を落として動圧から静圧に変換することができるため、騒音を低減しつつ、送風効率を向上させることができる。
【００２８】
また、遠心送風機１は、３つの拡大部が、角度θが０°以上９０°未満の間に第１極大点Ｐ１と、角度θが９０°以上１８０°未満の間に第２極大点Ｐ２と、角度θが１８０°以上第２基準線が構成する角度α未満の間に第３極大点Ｐ３と、を有する。本発明では一律の対数螺旋形状（インボリュート曲線）から、更に３つの極大点を持つ拡大部を有するためスクロール部４１内の風路の距離を延ばすことができる。仮に、従来の対数螺旋形状（インボリュート曲線）の拡大率を基準とした場合、２つの極大点を有する拡大部の場合と比較した場合、当該構成は３つの極大点を有する拡大部に内包されるため、必ず３つの極大点を有する拡大部の場合が一番大きな拡大率となる。そのため、当該関係を構成する遠心送風機１は、対数螺旋形状の基準周壁ＳＷを有する従来の遠心送風機よりも回転軸Ｘの軸心Ｃ１と周壁４ｃとの距離を大きくすることができ、気流の剥離を防ぎつつ風路の距離を長くすることができる。例えば、遠心送風機１が設置される機器（例えば、空気調和装置等）が薄型等の外形的寸法の制約がある場合、角度θが２７０°の方向、または、角度θが９０°の方向に遠心送風機１の回転軸Ｘの軸心Ｃ１と周壁４ｃとの距離の拡大を図れない場合がある。遠心送風機１は、角度θが上記範囲で３つの極大点を有することにより、遠心送風機１が設置される機器が薄型などの外径寸法に制約があっても、回転軸Ｘの軸心Ｃ１と周壁４ｃとの距離が拡大する風路の距離を長くすることができる。その結果、遠心送風機１は、気流の剥離を防ぎつつ、スクロールケーシング４内を流れる気流の速度を落として動圧から静圧に変換することができるため、騒音を低減しつつ、送風効率を向上させることができる。
【００２９】
また、遠心送風機１は、周壁４ｃの３つの拡大部における拡大率が、拡大率Ｂ＞拡大率Ｃ、かつ、拡大率Ｂ≧拡大率Ａ＞拡大率Ｃ、または、拡大率Ｂ＞拡大率Ｃ、かつ、拡大率Ｂ＞拡大率Ｃ≧拡大率Ａの関係を有している。スクロール部４１は、角度θが０〜９０°の領域では動圧を上昇させる役割もあるので、この領域より、角度θが９０〜１８０°の領域の拡大率を上げた方が、静圧変換を大きくすることができる。そのため、当該関係を構成する遠心送風機１は、対数螺旋形状の基準周壁ＳＷを有する従来の遠心送風機よりも回転軸Ｘの軸心Ｃ１と周壁４ｃとの距離を大きくすることができ、静圧変換効率のよい領域で気流の剥離を防ぎつつ風路の距離を長くすることができる。その結果、遠心送風機１は、気流の剥離を防ぎつつ、スクロールケーシング４内を流れる気流の速度を落として動圧から静圧に変換することができるため、騒音を低減しつつ、送風効率を向上させることができる。また、遠心送風機１が設置される機器（例えば、空気調和装置等）が薄型等の外形的寸法の制約がある場合、角度θが２７０°の方向、または、角度θが９０°の方向に遠心送風機１の回転軸Ｘの軸心Ｃ１と周壁４ｃとの距離の拡大を図れない場合がある。遠心送風機１は、上記の拡大率を有することによって、遠心送風機１が設置される機器が薄型などの外径寸法に制約があっても、回転軸Ｘの軸心Ｃ１と周壁４ｃとの距離が拡大する風路の距離を長くすることができる。その結果、遠心送風機１は、気流の剥離を防ぎつつ、スクロールケーシング４内を流れる気流の速度を落として動圧から静圧に変換することができるため、騒音を低減しつつ、送風効率を向上させることができる。
【００３０】
また、遠心送風機１は、周壁４ｃの３つの拡大部における拡大率が、拡大率Ｃ＞拡大率Ｂ≧拡大率Ａの関係を有している。スクロール部４１は、角度θが０〜９０°の領域では動圧を上昇させる役割もあるので、この領域より、角度θが９０〜１８０°の領域の拡大率を上げた方が、静圧変換を大きくすることができる。しかし、スクロール部４１は、角度θが９０〜１８０°の領域でも動圧を上昇させる役割も一部残るため、角度θが ９０〜１８０°の領域よりも、角度θが１８０〜２７０°の領域で拡大率を上げた方が、送風効率はさらに上がる。スクロール部４１は、ファン２と周壁４ｃとの距離が最も離れている領域（角度θが１８０〜２７０°）では、動圧を上昇させる役割は、ほぼなくなっているため、ここで、スクロール部４１の拡大率を最大化することにより、送風効率の最大化が図れる。その結果、遠心送風機１は、騒音を低減しつつ、送風効率を向上させることができる。
【００３１】
また、遠心送風機１は、複数の拡大部が、角度θが０°以上９０°未満の間に第１極大点Ｐ１を有する第１拡大部５１と、角度θが９０°以上１８０°未満の間に第２極大点Ｐ２を有する第２拡大部５２と、角度θが１８０°以上第２基準線が構成する角度α未満の間に第３極大点Ｐ３を有する第３拡大部５３と、を有する。そして、第２拡大部５２から第３拡大部５３までの領域を構成する周壁４ｃは、回転軸Ｘの軸心Ｃ１と周壁４ｃとの間の距離Ｌ１が、回転軸Ｘの軸心Ｃ１と基準周壁ＳＷとの間の距離Ｌ２よりも大きい。遠心送風機１は、吐出口７２と反対側にスクロールを膨らませる構成を持つことにより、３つの拡大部の効果と、膨らましたスクロールとにより気流の流れが沿うスクロールの壁面距離をのばすことができる。その結果、遠心送風機１は、気流の剥離を防ぎつつ、スクロールケーシング４内を流れる気流の速度を落として動圧から静圧に変換することができるため、騒音を低減しつつ、送風効率を向上させることができる。
【００３２】
また、遠心送風機１は、複数の拡大部が、角度θが９０°以上１８０°未満の間に第２極大点Ｐ２を有する第２拡大部５２と、角度θが１８０°以上第２基準線が構成する角度α未満の間に第３極大点Ｐ３を有する第３拡大部５３と、を有する。そして、第２拡大部５２から第３拡大部５３までの領域を構成する周壁４ｃは、回転軸Ｘの軸心Ｃ１と周壁４ｃとの間の距離Ｌ１が、回転軸Ｘの軸心Ｃ１と基準周壁ＳＷとの間の距離Ｌ２よりも大きい。遠心送風機１は、吐出口７２と反対側にスクロールを膨らませる構成を持つことにより、２つの拡大部の効果と、膨らましたスクロールとにより気流の流れが沿うスクロールの壁面距離をのばすことができる。その結果、遠心送風機１は、気流の剥離を防ぎつつ、スクロールケーシング４内を流れる気流の速度を落として動圧から静圧に変換することができるため、騒音を低減しつつ、送風効率を向上させることができる。
【００３３】
また、遠心送風機１は、遠心送風機１の周壁４ｃが、拡大率Ｊ＞拡大率Ｄ≧０であり、かつ、拡大率Ｊ＞拡大率Ｅ≧０であり、かつ、拡大率Ｊ＞拡大率Ｆ≧０であることが望ましい。遠心送風機１の周壁４ｃが当該拡大率を有することで、回転軸Ｘと周壁４ｃとの間の風路が狭まらず、ファン２により発生した気流に対する圧力損失が生じることがない。その結果、遠心送風機１は、速度を落とし動圧から静圧に変換することができ、騒音を低減しつつ、送風効率を向上させることができる。
【００３４】
実施の形態２．
図１５は、本発明の実施の形態２に係る遠心送風機１の軸方向断面図である。図１５に示す点線は、従来例である対数螺旋形状を有する遠心送風機の基準周壁ＳＷの位置を表すものである。なお、図１〜図１４の遠心送風機１と同一の構成を有する部位には同一の符号を付してその説明を省略する。実施の形態２の遠心送風機１は、回転軸Ｘの軸方向において、主板２ａの両側に吸込口５が形成された側壁４ａを有する両吸込みのスクロールケーシング４を有する遠心送風機１である。図１５に示すように、実施の形態２の遠心送風機１は、回転軸Ｘの軸方向において、周壁４ｃが吸込口５から離れるほど回転軸Ｘの径方向に拡大する。すなわち、実施の形態２の遠心送風機１は、回転軸Ｘの軸方向において、周壁４ｃが吸込口５から離れるほど回転軸Ｘの軸心Ｃ１と周壁４ｃの内壁面との距離が大きくなる。遠心送風機１の周壁４ｃは、回転軸Ｘの軸方向と平行な方向において、主板２ａの周縁部２ａ１と対向する位置４ｃ１で、回転軸Ｘの軸心Ｃ１と周壁４ｃの内壁面との距離Ｌ１が最大となる。図１５に示す距離ＬＭ１は、周壁４ｃが主板２ａの周縁部２ａ１と対向する位置４ｃ１であり、回転軸Ｘの軸方向と平行な方向において、回転軸Ｘの軸心Ｃ１と、周壁４ｃの内壁面との距離Ｌ１が最大となる部分を示す。遠心送風機１の周壁４ｃは、回転軸Ｘの軸方向と平行な方向において、側壁４ａとの境界となる位置４ｃ２で、回転軸Ｘの軸心Ｃ１と周壁４ｃの内壁面との距離Ｌ１が最小となる。図１５に示す距離ＬＳ１は、周壁４ｃと側壁４ａとの境界となる位置４ｃ２であり、回転軸Ｘの軸方向と平行な方向において、回転軸Ｘの軸心Ｃ１と周壁４ｃの内壁面との距離Ｌ１が最小となる部分を示す。周壁４ｃは、回転軸Ｘと平行な方向において、主板２ａの周縁部２ａ１と対向する位置４ｃ１が膨出し、回転軸Ｘと平行な方向において、主板２ａの周縁部２ａ１と対向する位置４ｃ１で距離Ｌ１が最大となる。さらに換言すると、実施の形態２の遠心送風機１は、回転軸Ｘと平行の断面視において、周壁４ｃが、主板２ａの周縁部２ａ１と対向する位置において、回転軸Ｘの軸心Ｃ１と周壁４ｃの内壁面との距離Ｌ１が最大となるように円弧形状に形成されている。なお、周壁４ｃの断面形状は、周壁４ｃが、主板２ａの周縁部２ａ１と対向する位置４ｃ１において、回転軸Ｘの軸心Ｃ１と周壁４ｃの内壁面との距離Ｌ１が最大となる凸状に形成されていればよく、断面形状の一部又は全部に直線部を有するものであってもよい。
【００３５】
図１６は、本発明の実施の形態２に係る遠心送風機１の変形例の軸方向断面図である。図１６に示す点線は、従来例である対数螺旋形状を有する遠心送風機の基準周壁ＳＷの位置を表すものである。なお、図１〜図１４の遠心送風機１と同一の構成を有する部位には同一の符号を付してその説明を省略する。実施の形態２の遠心送風機１の変形例は、回転軸Ｘの軸方向において、主板２ａの片側に吸込口５が形成された側壁４ａを有する片吸込みのスクロールケーシング４を有する遠心送風機１である。図１６に示すように、実施の形態２の遠心送風機１の変形例は、回転軸Ｘの軸方向において、周壁４ｃが吸込口５から離れるほど回転軸Ｘの径方向に拡大するものである。すなわち、実施の形態２の遠心送風機１は、回転軸Ｘの軸方向において、周壁４ｃが吸込口５から離れるほど回転軸Ｘの軸心Ｃ１と周壁４ｃの内壁面との距離が大きくなるものである。遠心送風機１の周壁４ｃは、回転軸Ｘの軸方向と平行な方向において、主板２ａの周縁部２ａ１と対向する位置４ｃ１で、回転軸Ｘの軸心Ｃ１と周壁４ｃの内壁面との距離Ｌ１が最大となる。図１６に示す距離ＬＭ１は、周壁４ｃが主板２ａの周縁部２ａ１と対向する位置４ｃ１であり、回転軸Ｘの軸方向と平行な方向において、回転軸Ｘの軸心Ｃ１と、周壁４ｃの内壁面との距離Ｌ１が最大となる部分を示す。遠心送風機１の周壁４ｃは、回転軸Ｘの軸方向と平行な方向において、側壁４ａとの境界となる位置４ｃ２で、回転軸Ｘの軸心Ｃ１と周壁４ｃの内壁面との距離Ｌ１が最小となる。図１６に示す距離ＬＳ１は、周壁４ｃと側壁４ａとの境界となる位置４ｃ２であり、回転軸Ｘの軸方向と平行な方向において、回転軸Ｘの軸心Ｃ１と周壁４ｃの内壁面との距離Ｌ１が最小となる部分を示す。周壁４ｃは、回転軸Ｘと平行な方向において、主板２ａの周縁部２ａ１と対向する位置４ｃ１が膨出し、回転軸Ｘと平行な方向において、主板２ａの周縁部２ａ１と対向する位置４ｃ１で距離Ｌ１が最大となる。さらに換言すると、実施の形態２の遠心送風機１は、回転軸Ｘと平行の断面視において、周壁４ｃが、主板２ａの周縁部２ａ１と対向する位置において、回転軸Ｘの軸心Ｃ１と周壁４ｃの内壁面との距離Ｌ１が最大となるように曲線状に形成されている。なお、周壁４ｃの断面形状は、周壁４ｃが、主板２ａの周縁部２ａ１と対向する位置４ｃ１において、回転軸Ｘの軸心Ｃ１と周壁４ｃの内壁面との距離Ｌ１が最大となる凸状に形成されていればよく、断面形状の一部又は全部に直線部を有するものであってもよい。
【００３６】
図１７は、本発明の実施の形態２に係る遠心送風機１の他の変形例の軸方向断面図である。図１７に示す点線は、従来例である対数螺旋形状を有する遠心送風機の基準周壁ＳＷの位置を表すものである。なお、図１〜図１４の遠心送風機１と同一の構成を有する部位には同一の符号を付してその説明を省略する。実施の形態２の遠心送風機１の他の変形例は、回転軸Ｘの軸方向において、主板２ａの両側に吸込口５が形成された側壁４ａを有する両吸込みのスクロールケーシング４を有する遠心送風機１である。図１７に示すように、実施の形態２の遠心送風機１の周壁４ｃは、回転軸Ｘの軸方向において、主板２ａの周縁部２ａ１と対向する位置４ｃ１で周壁４ｃの一部が回転軸Ｘの径方向に突出する突出部４ｄを有するものである。突出部４ｄは、回転軸Ｘの軸方向において、周壁４ｃの一部が、回転軸Ｘの軸心Ｃ１と周壁４ｃの内壁面との距離が大きくなる部分である。また、突出部４ｄは、第１端部４１ａと第２端部４１ｂとの間の周壁４ｃの長手方向に形成されている。なお、突出部４ｄは、第１端部４１ａと第２端部４１ｂとの間の周壁４ｃにおいて、第１端部４１ａから第２端部４１ｂまで全ての範囲に形成されていてもよく、一部の範囲にのみ形成されていてもよい。周壁４ｃは、回転軸Ｘの周方向において、回転軸Ｘの径方向に突出する突出部４ｄを有する。遠心送風機１の周壁４ｃは、回転軸Ｘの軸方向と平行な方向において、主板２ａの周縁部２ａ１と対向する位置４ｃ１で、回転軸Ｘの軸心Ｃ１と周壁４ｃの内壁面との距離Ｌ１が最大となる。すなわち、遠心送風機１の周壁４ｃは、回転軸Ｘの軸方向と平行な方向において、突出部４ｄで、回転軸Ｘの軸心Ｃ１と周壁４ｃの内壁面との距離Ｌ１が最大となる。図１７に示す距離ＬＭ１は、周壁４ｃが主板２ａの周縁部２ａ１と対向する位置４ｃ１であり、回転軸Ｘの軸方向と平行な方向において、回転軸Ｘの軸心Ｃ１と、周壁４ｃの内壁面との距離Ｌ１が最大となる部分を示す。遠心送風機１の周壁４ｃは、回転軸Ｘの軸方向と平行な方向において、側壁４ａとの境界となる位置４ｃ２で、回転軸Ｘの軸心Ｃ１と周壁４ｃの内壁面との距離Ｌ１が最小となる。図１７に示す距離ＬＳ１は、周壁４ｃと側壁４ａとの境界となる位置４ｃ２であり、回転軸Ｘの軸方向と平行な方向において、回転軸Ｘの軸心Ｃ１と周壁４ｃの内壁面との距離Ｌ１が最小となる部分を示す。周壁４ｃは、図１７に示すように、回転軸Ｘの軸方向において、回転軸Ｘの軸心Ｃ１と、周壁４ｃの内壁面との距離ＬＳ１が一定である。なお、突出部４ｄは、断面形状において、直線部で構成された矩形状に形成されているが、例えば、曲線部で構成された円弧形状に形成されていてもよく、直線部と曲線部とを有する他の形状であってもよい。また、周壁４ｃは、回転軸Ｘの軸方向において、回転軸Ｘの軸心Ｃ１と、周壁４ｃの内壁面との距離ＬＳ１が一定であるものに限定されるものではない。周壁４ｃは、例えば、側壁４ａから突出部４ｄにかけて回転軸Ｘの軸心Ｃ１と、周壁４ｃの内壁面との距離Ｌ１が拡大するものであってもよい。
【００３７】
従来例である対数螺旋形状の基準周壁ＳＷを有する遠心送風機は、回転軸Ｘの軸方向と平行な方向において、周壁４ｃの位置４ｃ１又は位置４ｃ２の部分の風路では、風路内を流れる気流に次のような特徴がある。従来の遠心送風機は、位置４ｃ１における周壁４ｃと回転軸Ｘとの間の風路内では、気流の速度が速くなり動圧が高くなっている。また、従来の遠心送風機は、位置４ｃ２の周壁４ｃと回転軸Ｘとの間の風路内では、気流の速度が遅くなり動圧が低くなっている。そのため、従来の遠心送風機は、回転軸Ｘの軸方向と平行な方向において、周壁４ｃの中央部分から吸い込み側の端部に向かうに従い、気流が周壁４ｃの内周面に沿わなくなる場合がある。これに対し、実施の形態２の遠心送風機１及び変形例の遠心送風機１は、回転軸Ｘと平行な方向に見た場合に、周壁４ｃが、主板２ａの周縁部２ａ１と対向する位置４ｃ１において、回転軸Ｘの軸心Ｃ１と、周壁４ｃの内壁面との距離Ｌ１が最大となる。そのため、周壁４ｃの断面形状に沿って、気流の速度が速くなり動圧が高くなる周壁４ｃの位置４ｃ１部分の風路に気流が集まりやすくなり、風路内で気流の速度が遅くなり動圧が低くなる部分を小さくすることができる。その結果、実施の形態２及び変形例の遠心送風機１は、気流を効率よく周壁４ｃの内周面に沿わせることができる。
【００３８】
以上のように、実施の形態２に係る遠心送風機１及び変形例は、回転軸Ｘと平行な方向に見た場合に、周壁４ｃが、主板２ａの周縁部２ａ１と対向する位置４ｃ１において、回転軸Ｘの軸心Ｃ１と、周壁４ｃの内壁面との距離Ｌ１が最大となる。そのため、回転軸Ｘと平行な周壁４ｃの断面形状において、気流の速度が速くなり動圧が高くなる周壁４ｃの位置４ｃ１部分の風路に気流が集まりやすくなる。これに対し、回転軸Ｘと平行な周壁４ｃの断面形状において、風路内で気流の速度が遅くなり動圧が低くなる周壁４ｃの位置４ｃ２の部分を流れる気流の風量は小さくなる。その結果、実施の形態２及び変形例の遠心送風機１は、気流を効率よく周壁４ｃの内周面に沿わせることができる。また、遠心送風機１は、対数螺旋形状の基準周壁ＳＷを有する従来の遠心送風機よりも回転軸Ｘの軸心Ｃ１と周壁４ｃとの距離を大きくすることができ、気流の剥離を防ぎつつ風路の距離を長くすることができる。その結果、遠心送風機１は、速度を落とし動圧から静圧に変換することができ、騒音を低減しつつ、送風効率を向上させることができる。
【００３９】
実施の形態３．
［送風装置３０］
図１８は、本発明の実施の形態３に係る送風装置３０の構成を示す図である。図１〜図１４の遠心送風機１と同一の構成を有する部位には同一の符号を付してその説明を省略する。実施の形態３に係る送風装置３０は、例えば、換気扇、卓上ファンなどであり、実施の形態１又は２に係る遠心送風機１と、遠心送風機１を収容するケース７とを備えている。ケース７には、吸込口７１及び吐出口７２の二つの開口が形成されている。送風装置３０は、図１８に示すように、吸込口７１と吐出口７２とが対向する位置に形成されている。なお、送風装置３０は、例えば、吸込口７１又は吐出口７２のいずれか一方が遠心送風機１の上方又は下方に形成されているなど、必ずしも吸込口７１と吐出口７２とが対向する位置に形成されていなくてもよい。ケース７内は、吸込口７１が形成されている部分を備えた空間Ｓ１と吐出口７２が形成されている部分を備えた空間Ｓ２とが、仕切板７３で仕切られている。遠心送風機１は、吸込口７１が形成されている側の空間Ｓ１に吸込口５が位置し、吐出口７２が形成されている側の空間Ｓ２に吐出口４２ａが位置する状態で設置される。
【００４０】
ファン２が回転すると、吸込口７１を通じてケース７の内部に空気が吸い込まれる。ケース７の内部に吸い込まれた空気は、ベルマウス３に案内され、ファン２に吸い込まれる。ファン２に吸い込まれた空気は、ファン２の径方向外側に向かって吹き出される。ファン２から吹き出された空気は、スクロールケーシング４の内部を通過後、スクロールケーシング４の吐出口４２ａから吹き出され、吐出口７２から吹き出される。
【００４１】
実施の形態３に係る送風装置３０は、実施の形態１又は２に係る遠心送風機１を備えるため、圧力回復を効率的に行うことができ、送風効率の向上及び騒音の低減を実現できる。
【００４２】
実施の形態４．
［空気調和装置４０］
図１９は、本発明の実施の形態４に係る空気調和装置４０の斜視図である。図２０は、本発明の実施の形態４に係る空気調和装置４０の内部構成を示す図である。図２１は、本発明の実施の形態４に係る空気調和装置４０の断面図である。なお、実施の形態４に係る空気調和装置４０に用いられる遠心送風機１１は、図１〜図１４の遠心送風機１と同一の構成を有する部位には同一の符号を付してその説明を省略する。また、図２０では、空気調和装置４０の内部構成を示すために、上面部１６ａは省略している。実施の形態４に係る空気調和装置４０は、実施の形態１又は２に記載の遠心送風機１と、遠心送風機１の吐出口４２ａと対向する位置に配置された熱交換器１０と、を備える。また、実施の形態４に係る空気調和装置４０は、空調対象の部屋の天井裏に設置されたケース１６を備えている。ケース１６は、図１９に示すように、上面部１６ａ、下面部１６ｂ及び側面部１６ｃを含む直方体状に形成されている。なお、ケース１６の形状は、直方体状に限定されるものではなく、例えば、円柱形状、角柱状、円錐状、複数の角部を有する形状、複数の曲面部を有する形状等、他の形状であってもよい。
【００４３】
（ケース１６）
ケース１６は、側面部１６ｃの１つとして、ケース吐出口１７が形成された側面部１６ｃを有する。ケース吐出口１７の形状は、図１９で示すように矩形状に形成されている。なお、ケース吐出口１７の形状は、矩形状に限定されるものではなく、例えば、円形状、オーバル形状等でもよく、他の形状であってもよい。ケース１６は、側面部１６ｃのうち、ケース吐出口１７が形成された面の裏となる面に、ケース吸込口１８が形成された側面部１６ｃを有している。ケース吸込口１８の形状は、図２０で示すように矩形状に形成されている。なお、ケース吸込口１８の形状は、矩形状に限定されるものではなく、例えば、円形状、オーバル形状等でもよく、他の形状であってもよい。ケース吸込口１８には、空気中の塵埃を取り除くフィルタが配置されてもよい。
【００４４】
ケース１６の内部には、二つの遠心送風機１１と、ファンモータ９と、熱交換器１０とが収容されている。遠心送風機１１は、ファン２と、ベルマウス３が形成されたスクロールケーシング４とを備えている。遠心送風機１１のベルマウス３の形状は、実施の形態１の遠心送風機１のベルマウス３の形状と同様である。遠心送風機１１は、実施の形態１に係る遠心送風機１と同様のファン２、及びスクロールケーシング４を有するが、スクロールケーシング４内にファンモータ６が配置されていない点で相違する。ファンモータ９は、ケース１６の上面部１６ａに固定されたモータサポート９ａによって支持されている。ファンモータ９は、出力軸６ａを有する。出力軸６ａは、側面部１６ｃのうち、ケース吸込口１８が形成された面及びケース吐出口１７が形成された面に対して平行に延びるように配置されている。空気調和装置４０は、図２０に示すように、二つのファン２が出力軸６ａに取り付けられている。ファン２は、ケース吸込口１８からケース１６内に吸い込まれ、ケース吐出口１７から空調対象空間へと吹き出される空気の流れを形成する。なお、ケース１６内に配置されるファン２は、二つに限定されるものではなく、一つ又は三つ以上でもよい。
【００４５】
遠心送風機１１は、図２０に示すように、仕切板１９に取り付けられており、ケース１６の内部空間は、スクロールケーシング４の吸い込み側の空間Ｓ１１と、スクロールケーシング４の吹き出し側の空間Ｓ１２とが、仕切板１９によって仕切られている。
【００４６】
熱交換器１０は、図２１に示すように、遠心送風機１１の吐出口４２ａと対向する位置に配置され、ケース１６内において、遠心送風機１１が吐出する空気の風路上に配置されている。熱交換器１０は、ケース吸込口１８からケース１６内に吸い込まれ、ケース吐出口１７から空調対象空間へと吹き出される空気の温度を調整する。なお、熱交換器１０は、公知の構造のものを適用できる。
【００４７】
ファン２が回転すると、空調対象空間の空気は、ケース吸込口１８を通じてケース１６の内部に吸い込まれる。ケース１６の内部に吸い込まれた空気は、ベルマウス３に案内され、ファン２に吸い込まれる。ファン２に吸い込まれた空気は、ファン２の径方向外側に向かって吹き出される。ファン２から吹き出された空気は、スクロールケーシング４の内部を通過後、スクロールケーシング４の吐出口４２ａから吹き出され、熱交換器１０に供給される。熱交換器１０に供給された空気は、熱交換器１０を通過する際に、熱交換され、湿度調整される。熱交換器１０を通過した空気は、ケース吐出口１７から空調対象空間に吹き出される。
【００４８】
実施の形態４に係る空気調和装置４０は、実施の形態１又は２に係る遠心送風機１を備えるため、圧力回復を効率的に行うことができ、送風効率の向上及び騒音の低減を実現できる。
【００４９】
実施の形態５．
［冷凍サイクル装置５０］
図２２は、本発明の実施の形態５に係る冷凍サイクル装置５０の構成を示す図である。なお、実施の形態５に係る冷凍サイクル装置５０に用いられる遠心送風機１は、図１〜図１４の遠心送風機１又は遠心送風機１１と同一の構成を有する部位には同一の符号を付してその説明を省略する。実施の形態５に係る冷凍サイクル装置５０は、冷媒を介して外気と室内の空気の間で熱を移動させることにより、室内を暖房又は冷房して空気調和を行う。実施の形態５に係る冷凍サイクル装置５０は、室外機１００と、室内機２００とを有する。冷凍サイクル装置５０は、室外機１００と室内機２００とが冷媒配管３００及び冷媒配管４００により配管接続されて、冷媒が循環する冷媒回路が構成されている。冷媒配管３００は、気相の冷媒が流れるガス配管であり、冷媒配管４００は、液相の冷媒が流れる液配管である。なお、冷媒配管４００には、気液二相の冷媒を流してもよい。そして、冷凍サイクル装置５０の冷媒回路では、圧縮機１０１、流路切替装置１０２、室外熱交換器１０３、膨張弁１０５、室内熱交換器２０１が冷媒配管を介して順次接続されている。
【００５０】
（室外機１００）
室外機１００は、圧縮機１０１、流路切替装置１０２、室外熱交換器１０３、及び膨張弁１０５を有している。圧縮機１０１は、吸入した冷媒を圧縮して吐出する。ここで、圧縮機１０１は、インバータ装置を備えていてもよく、インバータ装置によって運転周波数を変化させて、圧縮機１０１の容量を変更することができるように構成されてもよい。なお、圧縮機１０１の容量とは、単位時間当たりに送り出す冷媒の量である。流路切替装置２２は、例えば四方弁であり、冷媒流路の方向の切り換えが行われる装置である。冷凍サイクル装置５０は、制御装置（図示せず）からの指示に基づいて、流路切替装置１０２を用いて冷媒の流れを切り換えることで、暖房運転又は冷房運転を実現することができる。
【００５１】
室外熱交換器１０３は、冷媒と室外空気との熱交換を行う。室外熱交換器１０３は、暖房運転時には蒸発器の働きをし、冷媒配管４００から流入した低圧の冷媒と室外空気との間で熱交換を行って冷媒を蒸発させて気化させる。室外熱交換器１０３は、冷房運転時には、凝縮器の働きをし、流路切替装置１０２側から流入した圧縮機１０１で圧縮済の冷媒と室外空気との間で熱交換を行って、冷媒を凝縮させて液化させる。室外熱交換器１０３には、冷媒と室外空気との間の熱交換の効率を高めるために、室外送風機１０４が設けられている。室外送風機１０４は、インバータ装置を取り付け、ファンモータの運転周波数を変化させてファンの回転速度を変更してもよい。膨張弁１０５は、絞り装置（流量制御手段）であり、膨張弁１０５を流れる冷媒の流量を調節することにより、膨張弁として機能し、開度を変化させることで、冷媒の圧力を調整する。例えば、膨張弁１０５が、電子式膨張弁等で構成された場合は、制御装置（図示せず）等の指示に基づいて開度調整が行われる。
【００５２】
（室内機２００）
室内機２００は、冷媒と室内空気との間で熱交換を行う室内熱交換器２０１及び、室内熱交換器２０１が熱交換を行う空気の流れを調整する室内送風機２０２を有する。室内熱交換器２０１は、暖房運転時には、凝縮器の働きをし、冷媒配管３００から流入した冷媒と室内空気との間で熱交換を行い、冷媒を凝縮させて液化させ、冷媒配管４００側に流出させる。室内熱交換器２０１は、冷房運転時には蒸発器の働きをし、膨張弁１０５によって低圧状態にされた冷媒と室内空気との間で熱交換を行い、冷媒に空気の熱を奪わせて蒸発させて気化させ、冷媒配管３００側に流出させる。室内送風機２０２は、室内熱交換器２０１と対面するように設けられている。室内送風機２０２には、実施の形態１又は２に係る遠心送風機１、実施の形態５に係る遠心送風機１１が適用される。室内送風機２０２の運転速度は、ユーザの設定により決定される。室内送風機２０２には、インバータ装置を取り付け、ファンモータ６の運転周波数を変化させてファン２の回転速度を変更してもよい。
【００５３】
［冷凍サイクル装置５０の動作例］
次に、冷凍サイクル装置５０の動作例として冷房運転動作を説明する。圧縮機１０１によって圧縮され吐出された高温高圧のガス冷媒は、流路切替装置１０２を経由して、室外熱交換器１０３に流入する。室外熱交換器１０３に流入したガス冷媒は、室外送風機１０４により送風される外気との熱交換により凝縮し、低温の冷媒となって、室外熱交換器１０３から流出する。室外熱交換器１０３から流出した冷媒は、膨張弁１０５によって膨張及び減圧され、低温低圧の気液二相冷媒となる。この気液二相冷媒は、室内機２００の室内熱交換器２０１に流入し、室内送風機２０２により送風される室内空気との熱交換により蒸発し、低温低圧のガス冷媒となって室内熱交換器２０１から流出する。このとき、冷媒に吸熱されて冷却された室内空気は、空調空気（吹出風）となって、室内機２００の吹出口から室内（空調対象空間）に吹き出される。室内熱交換器２０１から流出したガス冷媒は、流路切替装置１０２を経由して圧縮機１０１に吸入され、再び圧縮される。以上の動作が繰り返される。
【００５４】
次に、冷凍サイクル装置５０の動作例として暖房運転動作を説明する。圧縮機１０１によって圧縮され吐出された高温高圧のガス冷媒は、流路切替装置１０２を経由して、室内機２００の室内熱交換器２０１に流入する。室内熱交換器２０１に流入したガス冷媒は、室内送風機２０２により送風される室内空気との熱交換により凝縮し、低温の冷媒となって、室内熱交換器２０１から流出する。このとき、ガス冷媒から熱を受け取り暖められた室内空気は、空調空気（吹出風）となって、室内機２００の吹出口から室内（空調対象空間）に吹き出される。室内熱交換器２０１から流出した冷媒は、膨張弁１０５によって膨張及び減圧され、低温低圧の気液二相冷媒となる。この気液二相冷媒は、室外機１００の室外熱交換器１０３に流入し、室外送風機１０４により送風される外気との熱交換により蒸発し、低温低圧のガス冷媒となって室外熱交換器１０３から流出する。室外熱交換器１０３から流出したガス冷媒は、流路切替装置１０２を経由して圧縮機１０１に吸入され、再び圧縮される。以上の動作が繰り返される。
【００５５】
実施の形態５に係る冷凍サイクル装置５０は、実施の形態１又は２に係る遠心送風機１を備えるため、圧力回復を効率的に行うことができ、送風効率の向上及び騒音の低減を実現できる。
【００５６】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５７】
１  遠心送風機、２  ファン、２ａ  主板、２ａ１  周縁部、２ｂ  ボス部、２ｃ  側板、２ｄ  羽根、２ｅ  吸込口、３  ベルマウス、３ａ  上流端、３ｂ  下流端、４  スクロールケーシング、４ａ  側壁、４ｂ  舌部、４ｃ  周壁、４ｄ  突出部、５  吸込口、６  ファンモータ、６ａ  出力軸、７  ケース、９  ファンモータ、９ａ  モータサポート、１０  熱交換器、１１  遠心送風機、１６  ケース、１６ａ  上面部、１６ｂ  下面部、１６ｃ  側面部、１７  ケース吐出口、１８  ケース吸込口、１９  仕切板、２２  流路切替装置、３０  送風装置、４０  空気調和装置、４１  スクロール部、４１ａ  第１端部、４１ｂ  第２端部、４２  吐出部、４２ａ  吐出口、５０  冷凍サイクル装置、５１  第１拡大部、５２  第２拡大部、５３  第３拡大部、５４、第４拡大部、７１  吸込口、７２  吐出口、７３  仕切板、１００  室外機、１０１  圧縮機、１０２  流路切替装置、１０３  室外熱交換器、１０４  室外送風機、１０５  膨張弁、２００  室内機、２０１  室内熱交換器、２０２  室内送風機、３００  冷媒配管、４００  冷媒配管。
【図１】
2019087298.tif 000003
【図２】
2019087298.tif 000004
【図３】
2019087298.tif 000005
【図４】
2019087298.tif 000006
【図５】
2019087298.tif 000007
【図６】
2019087298.tif 000008
【図７】
2019087298.tif 000009
【図８】
2019087298.tif 000010
【図９】
2019087298.tif 000011
【図１０】
2019087298.tif 000012
【図１１】
2019087298.tif 000013
【図１２】
2019087298.tif 000014
【図１３】
2019087298.tif 000015
【図１４】
2019087298.tif 000016
【図１５】
2019087298.tif 000017
【図１６】
2019087298.tif 000018
【図１７】
2019087298.tif 000019
【図１８】
2019087298.tif 000020
【図１９】
2019087298.tif 000021
【図２０】
2019087298.tif 000022
【図２１】
2019087298.tif 000023
【図２２】
2019087298.tif 000024
【手続補正書】
【提出日】令和2年4月10日(2020.4.10)
【手続補正１】
【補正対象書類名】明細書
【補正対象項目名】０００６
【補正方法】変更
【補正の内容】
【０００６】
本発明に係る遠心送風機は、円盤状の主板と、主板の周縁部に設置される複数枚の羽根と、を有するファンと、ファンを収納するスクロールケーシングと、を備え、スクロールケーシングは、ファンが発生させた気流が吐出される吐出口を形成する吐出部と、ファンの回転軸の軸方向からファンを覆い、空気を取り込む吸込口が形成された側壁と、ファンを回転軸の径方向から囲む周壁と、吐出部と周壁との間に位置し、ファンが発生させた気流を吐出口に導く舌部と、を有するスクロール部と、を備え、ファンの回転軸と垂直方向の断面形状で一定の拡大率で定義される渦巻状の基準周壁を有する遠心送風機との比較において、周壁は、周壁と舌部との境界となる第１端部、及び、周壁と吐出部との境界となる第２端部において、回転軸の軸心と周壁との間の距離Ｌ１が、回転軸の軸心と基準周壁との間の距離Ｌ２と等しく、周壁の第１端部と第２端部との間において、距離Ｌ１が、距離Ｌ２以上の大きさであり、周壁の第１端部と第２端部との間において、距離Ｌ１と距離Ｌ２との差分ＬＨの長さが極大点を構成する複数の拡大部を有し、ファンの回転軸と垂直方向の断面形状で、回転軸の軸心と第１端部とを結ぶ第１基準線から回転軸の軸心と第２端部とを結ぶ第２基準線までの間で、第１基準線からファンの回転方向に進む角度θにおいて、複数の拡大部は、角度θが９０°以上第２基準線が構成する角度α未満の間に２つの拡大部を有し、２つの拡大部の間の領域を構成する周壁は、距離Ｌ１が、距離Ｌ２よりも大きいものである。
【手続補正２】
【補正対象書類名】特許請求の範囲
【補正対象項目名】全文
【補正方法】変更
【補正の内容】
【特許請求の範囲】
【請求項１】
円盤状の主板と、前記主板の周縁部に設置される複数枚の羽根と、を有するファンと、
前記ファンを収納するスクロールケーシングと、
を備え、
前記スクロールケーシングは、
前記ファンが発生させた気流が吐出される吐出口を形成する吐出部と、
前記ファンの回転軸の軸方向から前記ファンを覆い、空気を取り込む吸込口が形成された側壁と、前記ファンを前記回転軸の径方向から囲む周壁と、前記吐出部と前記周壁との間に位置し、前記ファンが発生させた気流を前記吐出口に導く舌部と、を有するスクロール部と、
を備え、
前記ファンの前記回転軸と垂直方向の断面形状で一定の拡大率で定義される渦巻状の基準周壁を有する遠心送風機との比較において、
前記周壁は、
前記周壁と前記舌部との境界となる第１端部、及び、前記周壁と前記吐出部との境界となる第２端部において、前記回転軸の軸心と前記周壁との間の距離Ｌ１が、前記回転軸の前記軸心と前記基準周壁との間の距離Ｌ２と等しく、
前記周壁の前記第１端部と前記第２端部との間において、前記距離Ｌ１が、前記距離Ｌ２以上の大きさであり、
前記周壁の前記第１端部と前記第２端部との間において、前記距離Ｌ１と前記距離Ｌ２との差分ＬＨの長さが極大点を構成する複数の拡大部を有し、
前記ファンの前記回転軸と垂直方向の断面形状で、前記回転軸の前記軸心と前記第１端部とを結ぶ第１基準線から前記回転軸の前記軸心と前記第２端部とを結ぶ第２基準線までの間で、前記第１基準線から前記ファンの回転方向に進む角度θにおいて、
前記複数の拡大部は、
前記角度θが９０°以上第２基準線が構成する角度α未満の間に２つの拡大部を有し、
前記２つの拡大部の間の領域を構成する前記周壁は、前記距離Ｌ１が、前記距離Ｌ２よりも大きい遠心送風機。
【請求項２】
前記２つの拡大部は、
前記角度θが９０°以上１８０°未満の間に極大点と、
前記角度θが１８０°以上第２基準線が構成する角度α未満の間に他の極大点と、
を有する請求項１に記載の遠心送風機。
【請求項３】
前記複数の拡大部は、
前記２つの拡大部と、更に１つの拡大部とから構成され、
前記角度θが０°以上９０°未満の間に第１極大点Ｐ１を有する第１拡大部と、
前記角度θが９０°以上１８０°未満の間に第２極大点Ｐ２を有する第２拡大部と、
前記角度θが１８０°以上第２基準線が構成する角度α未満の間に第３極大点Ｐ３を有する第３拡大部と、
を有し、
前記角度θが０°以上で前記第１極大点Ｐ１が位置する角度までの間において、前記差分ＬＨが最小となる点を第１最小点Ｕ１とし、
前記角度θが９０°以上で前記第２極大点Ｐ２が位置する角度までの間において、前記差分ＬＨが最小となる点を第２最小点Ｕ２とし、
前記角度θが１８０°以上で前記第３極大点Ｐ３が位置する角度までの間において、前記差分ＬＨが最小となる点を第３最小点Ｕ３とし、
前記第１最小点Ｕ１から前記第１極大点Ｐ１までの前記角度θの増大θ１に対する、前記第１極大点Ｐ１における前記距離Ｌ１と前記第１最小点Ｕ１における前記距離Ｌ１との差分Ｌ１１を拡大率Ａとし、
前記第２最小点Ｕ２から前記第２極大点Ｐ２までの前記角度θの増大θ２に対する、前記第２極大点Ｐ２における前記距離Ｌ１と前記第２最小点Ｕ２における前記距離Ｌ１との差分Ｌ２２を拡大率Ｂとし、
前記第３最小点Ｕ３から前記第３極大点Ｐ３までの前記角度θの増大θ３に対する、前記第３極大点Ｐ３における前記距離Ｌ１と前記第３最小点Ｕ３における前記距離Ｌ１との差分Ｌ３３を拡大率Ｃとした場合に、
拡大率Ｂ＞拡大率Ｃ、かつ、拡大率Ｂ≧拡大率Ａ＞拡大率Ｃ、または、
拡大率Ｂ＞拡大率Ｃ、かつ、拡大率Ｂ＞拡大率Ｃ≧拡大率Ａ
の関係を有する請求項１又は２に記載の遠心送風機。
【請求項４】
前記複数の拡大部は、
前記２つの拡大部と、更に１つの拡大部とから構成され、
前記角度θが０°以上９０°未満の間に第１極大点Ｐ１を有する第１拡大部と、
前記角度θが９０°以上１８０°未満の間に第２極大点Ｐ２を有する第２拡大部と、
前記角度θが１８０°以上第２基準線が構成する角度α未満の間に第３極大点Ｐ３を有する第３拡大部と、
を有し、
前記角度θが０°以上で前記第１極大点Ｐ１が位置する角度までの間において、前記差分ＬＨが最小となる点を第１最小点Ｕ１とし、
前記角度θが９０°以上で前記第２極大点Ｐ２が位置する角度までの間において、前記差分ＬＨが最小となる点を第２最小点Ｕ２とし、
前記角度θが１８０°以上で前記第３極大点Ｐ３が位置する角度までの間において、前記差分ＬＨが最小となる点を第３最小点Ｕ３とし、
前記第１最小点Ｕ１から前記第１極大点Ｐ１までの前記角度θの増大θ１に対する、前記第１極大点Ｐ１における前記距離Ｌ１と前記第１最小点Ｕ１における前記距離Ｌ１との差分Ｌ１１を拡大率Ａとし、
前記第２最小点Ｕ２から前記第２極大点Ｐ２までの前記角度θの増大θ２に対する、前記第２極大点Ｐ２における前記距離Ｌ１と前記第２最小点Ｕ２における前記距離Ｌ１との差分Ｌ２２を拡大率Ｂとし、
前記第３最小点Ｕ３から前記第３極大点Ｐ３までの前記角度θの増大θ３に対する、前記第３極大点Ｐ３における前記距離Ｌ１と前記第３最小点Ｕ３における前記距離Ｌ１との差分Ｌ３３を拡大率Ｃとした場合に、
拡大率Ｃ＞拡大率Ｂ≧拡大率Ａ
の関係を有する請求項１又は２に記載の遠心送風機。
【請求項５】
前記複数の拡大部は、
前記２つの拡大部と、更に１つの拡大部とから構成され、
前記角度θが０°以上９０°未満の間に第１極大点Ｐ１を有する第１拡大部と、
前記角度θが９０°以上１８０°未満の間に第２極大点Ｐ２を有する第２拡大部と、
前記角度θが１８０°以上第２基準線が構成する角度α未満の間に第３極大点Ｐ３を有する第３拡大部と、を有し、
前記第２拡大部から前記第３拡大部までの領域を構成する前記周壁は、前記距離Ｌ１が、前記距離Ｌ２よりも大きい請求項１又は２に記載の遠心送風機。
【請求項６】
前記第１極大点Ｐ１から前記第２最小点Ｕ２までの前記角度θの増大θ１１に対する、前記第２最小点Ｕ２における前記距離Ｌ１と前記第１極大点Ｐ１における前記距離Ｌ１との差分Ｌ４４を拡大率Ｄとし、
前記第２極大点Ｐ２から前記第３最小点Ｕ３までの前記角度θの増大θ２２に対する、前記第３最小点Ｕ３における前記距離Ｌ１と前記第２極大点Ｐ２における前記距離Ｌ１との差分Ｌ５５を拡大率Ｅとし、
前記第３極大点Ｐ３から前記角度αまでの前記角度θの増大θ３３に対する、前記角度αにおける前記距離Ｌ１と前記第３極大点Ｐ３における前記Ｌ１との差分Ｌ６６を拡大率Ｆとし、
前記角度θの増大に対する、前記回転軸の前記軸心と前記基準周壁との間の前記距離Ｌ２を拡大率Ｊとした場合に、
拡大率Ｊ＞拡大率Ｄ≧０であり、かつ、
拡大率Ｊ＞拡大率Ｅ≧０であり、かつ、
拡大率Ｊ＞拡大率Ｆ≧０である、
請求項３又は４に記載の遠心送風機。
【請求項７】
前記周壁は、前記回転軸と平行な方向において、前記主板の周縁部と対向する位置が膨出し、前記回転軸と平行な方向において、前記主板の周縁部と対向する位置で前記距離Ｌ１が最大となる請求項１〜６のいずれか１項に記載の遠心送風機。
【請求項８】
前記周壁は、前記回転軸の周方向において、前記回転軸の径方向に突出する突出部を有する請求項１〜７のいずれか１項に記載の遠心送風機。
【請求項９】
請求項１〜８のいずれか１項に記載の遠心送風機と、
当該遠心送風機を収容するケースと、
を備えた送風装置。
【請求項１０】
請求項１〜８のいずれか１項に記載の遠心送風機と、
当該遠心送風機の前記吐出口と対向する位置に配置された熱交換器と、
を備える空気調和装置。
【請求項１１】
請求項１〜８のいずれか１項に記載の遠心送風機を備えた冷凍サイクル装置。
【国際調査報告】
2019087298.tif 000025
2019087298.tif 000026
2019087298.tif 000027
2019087298.tif 000028